(57)【要約】【課題】端子挿入口を開閉する機能を備えたものにおいて、部品点数を少なくできる共に、組立工数も少なくできるようにする。【解決手段】カバー３の内面側に、端子挿入口１０，１１を開閉する一対のシャッタ部１９，１９と、これらを閉鎖位置へ付勢する復帰用ばね部１６とを一体に有するシャッタ部材１５を配置する。各シャッタ部１９は、表面側に斜面２０を有する。プラグの差込み端子が端子挿入口１０，１１に挿入され、その差込み端子により斜面２０が押圧されると、各シャッタ部１９が復帰用ばね部１６の付勢力に抗して開放位置へ移動し、各差込み端子が対応する端子受け部７，８に受け入れられる。【選択図】  図１
2004253312.tif 000002
【特許請求の範囲】
【請求項１】
プラグの差込み端子を受け入れる一対の端子受け部が設けられたボディと、
このボディに前記一対の端子受け部を覆うように装着され、前記一対の端子受け部に対応する部位に一対の端子挿入口を有したカバーと、
このカバーの内面側に前記一対の端子挿入口を開閉するように設けられたシャッタ部材とを備え、
前記シャッタ部材は、
対応する前記端子挿入口を閉鎖する閉鎖位置とそれを開放する開放位置との間で前記カバーの内面に沿って移動可能に設けられ、表面に斜面を有した一対のシャッタ部と、これら一対のシャッタ部を前記閉鎖位置方向へ付勢する復帰用ばね部とを一体に有し、前記プラグの差込み端子が前記端子挿入口に挿入されてその差込み端子により前記斜面が押圧されることに伴い前記各シャッタ部が前記復帰用ばね部の付勢力に抗して前記開放位置方向へ移動される構成であることを特徴とするコンセント。
【請求項２】
カバーにおける各端子挿入口の縁部に、シャッタ部が閉鎖位置に位置した状態で、斜面の下降側先端部に近接若しくは当接する隙間閉鎖用凸部を設けたことを特徴とする請求項１記載のコンセント。
【発明の詳細な説明】
【０００１】
【発明の属する技術分野】
本発明は、端子挿入口を開閉するシャッタ部材を備えたコンセントに関する。
【０００２】
【従来の技術】
従来より、コンセントにおいては、プラグの差込み端子が挿入される端子挿入口からケース内部に異物などが侵入することを防止する目的で、各端子挿入口を開閉するシャッタ機構を設けたものが知られている。シャッタ機構としては、例えば次のような構成のものがある。
【０００３】
すなわち、一対の端子挿入口を開閉するようにカバーの内面に沿って移動可能に設けられた一対の扉体と、これら各扉体を閉鎖位置方向へ付勢するように設けられた一対の復帰用ばねとから構成される。各扉体には、端子挿入口を閉鎖する閉鎖位置でその端子挿入口に臨む斜面が形成されていて、各扉体により端子挿入口を閉鎖した状態で、プラグの差込み端子が端子挿入口に挿入されてその差込み端子により前記斜面が押圧されることに伴い、各扉体が各復帰用ばねの付勢力に抗して端子挿入口を開放する方向へ移動される構成となっている（例えば、特許文献１参照）。
【０００４】
【特許文献１】
特許第２８４３１２２号公報（第１図、第３図、第４図参照）
【０００５】
【発明が解決しようとする課題】
上記した特許文献１のものの場合、一対の端子挿入口を開閉するために、２個の扉体と、２個の復帰用ばねとを必要としているため、部品点数が多いと共に、組立工数も多くかかるという欠点がある。
【０００６】
本発明は上記事情に鑑みてなされたものであり、その目的は、端子挿入口を開閉する機能を備えたものにおいて、部品点数を少なくできる共に、組立工数も少なくできるコンセントを提供するにある。
【０００７】
【課題を解決するための手段】
上記の目的を達成するために、本発明のコンセントは、プラグの差込み端子を受け入れる一対の端子受け部が設けられたボディと、このボディに前記一対の端子受け部を覆うように装着され、前記一対の端子受け部に対応する部位に一対の端子挿入口を有したカバーと、このカバーの内面側に前記一対の端子挿入口を開閉するように設けられたシャッタ部材とを備え、前記シャッタ部材は、対応する前記端子挿入口を閉鎖する閉鎖位置とそれを開放する開放位置との間で前記カバーの内面に沿って移動可能に設けられ、表面に斜面を有した一対のシャッタ部と、これら一対のシャッタ部を前記閉鎖位置方向へ付勢する復帰用ばね部とを一体に有し、前記プラグの差込み端子が前記端子挿入口に挿入されてその差込み端子により前記斜面が押圧されることに伴い前記各シャッタ部が前記復帰用ばね部の付勢力に抗して前記開放位置方向へ移動される構成であることを特徴とする。
【０００８】
上記した構成のものにおいては、端子挿入口にプラグの差込み端子を挿入していない状態では、一対の端子挿入口はシャッタ部材における各シャッタ部により閉鎖されているから、各端子挿入口から異物が侵入することを防止できる。一方、一対の端子挿入口にプラグの差込み端子を挿入すると、各差込み端子が、対応するシャッタ部の斜面を押圧するようになる。すると、各シャッタ部は、復帰用ばね部の付勢力に抗して開放位置方向へ移動し、各差込み端子が、対応する端子受け部に受け入れられて接続される。そして、差し込まれた一対の差込み端子を抜き取ると、各シャッタ部は、復帰用ばね部の付勢力により閉鎖位置へ移動して各端子挿入口を閉鎖する状態となる。
【０００９】
上記した手段によれば、シャッタ部材は、一対の端子挿入口を開閉する一対のシャッタ部と、これらシャッタ部を閉鎖位置方向へ付勢する復帰用ばね部とを一体に有しているから、それらを一部品として扱うことができ、よって、部品点数を少なくできると共に、組立工数を少なくできる。
【００１０】
この場合、カバーにおける各端子挿入口の縁部に、シャッタ部が閉鎖位置に位置した状態で、斜面の下降側先端部に近接若しくは当接する隙間閉鎖用凸部を設けることが好ましい。
このような手段によれば、シャッタ部の斜面とカバーとの間の隙間が上記隙間閉鎖用凸部により閉鎖されるから、その隙間から異物が侵入することも防止できるようになる。
【００１１】
【発明の実施の形態】
以下、本発明の一実施例について図面を参照して説明する。
まず、図３及び図４において、コンセントのケース１は、上面が開口した容器状をなすボディ２と、このボディ２に開口部を覆うように装着されるカバー３とから構成されている。これらボディ２及びカバー３は共に合成樹脂製であり、これらはビス４により連結される。
【００１２】
ボディ２の内部には、金属板を曲げ加工して構成された第１及び第２の端子部材５，６が固定状態に設けられている。このうち第１の端子部材５には、２枚の板ばね片７ａを対向状態に構成した端子受け部７が２箇所に設けられている。また、第２の端子部材６にも、２枚の板ばね片８ａを対向状態に構成した端子受け部８が２箇所に設けられている。そして、隣り合った端子受け部７と８で、一対の端子受け部を構成している。従ってこの場合、ボディ２には、２対の端子受け部７，８が設けられている。また、ボディ２の内部には、第１の端子部材５と第２の端子部材６との間に位置させてリブ９が設けられている。なお、第１及び第２の端子部材５，６には、図示はしないが電気コードが接続される。
【００１３】
上記カバー３は、上記２対の端子受け部７，８を覆うようにボディ２に装着されていて、当該カバー３には、それら２対の端子受け部７，８に対応して、２対の端子挿入口１０，１１が形成されている。カバー３の内面側には、図５に示すように、対をなす端子挿入口１０，１１の周りに位置させてシャッタ部材収納部１２が２箇所に形成されていると共に、各端子挿入口１０，１１の縁部に隙間閉鎖用凸部１３が設けられていて、各シャッタ部材収納部１２に、シャッタ部材１５が収納配置されている。各隙間閉鎖用凸部１３は、図１において下方に向けて突設されている。
【００１４】
各シャッタ部材１５は同一構成のものであるので、一方のもののみについて説明する。シャッタ部材１５は合成樹脂製であり、図１にも示すように、ほぼＵ字状をなす復帰用ばね部１６と、２個の開口部１７，１７を有するスライド板部１８とを一体に有している。スライド板部１８において、各開口部１７における復帰用ばね部１６側の縁部を、対応する端子挿入口１０，１１を開閉するシャッタ部１９としている。各シャッタ部１９の表面側（図１の上面側）には、開口部１７側に向けて下降傾斜する斜面２０が形成されている。
【００１５】
このシャッタ部材１５は、図１に示すように、斜面２０をカバー３の内面に向けた状態で、スライド板部１８をカバー３の内面に沿わせるようにして上記シャッタ部材収納部１２に収納される。その収納状態で、復帰用ばね部１６の自由端部１６ａがシャッタ部材収納部１２の一方側の内面に当接する共に、スライド板部１８の先端部１８ａがシャッタ部材収納部１２の他方側の内面に当接若しくは近接し、さらに、各シャッタ部１９が端子挿入口１０，１１を閉鎖する閉鎖位置に位置される。
【００１６】
また、この状態では、各シャッタ部１９の斜面２０の下降側先端部と、対応する隙間閉鎖用凸部１３とが近接若しくは当接した状態となり、その隙間閉鎖用凸部１３により各シャッタ部１９の斜面２０とカバー３の内面との間の隙間を閉鎖する状態となる。なお、各斜面２０の両側部は、スライド板部１８の枠部１８ｂ（開口部１７の周縁部）が存しているため、斜面２０の両側部には隙間は形成されない。そして、カバー３をボディ２に装着した状態では、図１に示すように、スライド板部１８のほぼ中央部が、リブ９によりスライド可能に支持された状態となる。
【００１７】
さて、上記構成において、端子挿入口１０，１１にプラグの差込み端子が挿入されていない図１の状態では、前述したように、各端子挿入口１０，１１はシャッタ部材１５の各シャッタ部１９により閉鎖されている。このとき、各シャッタ部１９の斜面２０が、対応する端子挿入口１０，１１に臨んでいる。また、この状態では、各シャッタ部１９の斜面２０の下降側先端部と、対応する隙間閉鎖用凸部１３とが近接若しくは当接した状態となっていて、その隙間閉鎖用凸部１３により各シャッタ部１９の斜面２０とカバー３の内面との間の隙間を閉鎖した状態となっている。従って、この状態では、各端子挿入口１０，１１からケース１の内部へ異物が侵入することが防止されている。
【００１８】
一方、図２に示すプラグ２５の一対の差込み端子２６，２６が、一対の端子挿入口１０，１１に挿入され、それら各差し込み端子２６の先端部により、対応するシャッタ部１９の斜面２０が押圧されると、当該斜面２０を押圧する際の分力により、各シャッタ部１９が復帰用ばね部１６の付勢力に抗して、図２の矢印Ａ方向へ移動されるようになる。このとき、２個のシャッタ部１９は、スライド板部１８に一体化されているから、同時に移動する。そして、各シャッタ部１９が矢印Ａ方向へ移動することに伴い各端子挿入口１０，１１が開放され、各差込み端子２６，２６が、スライド部材１８の開口部１７を通して対応する端子受け部７，８のばね片７ａ，７ａ間、８ａ，８ａ間に受け入れられ、これにより、各差込み端子２６，２６が、対応する端子受け部７，８と電気的に接続されるようになる。このとき、スライド板部１８の各シャッタ部１９は、図２に示すように、対応する端子挿入口１０，１１を開放した開放位置に位置されている。
【００１９】
図２の状態から、プラグ２５の差込み端子２６，２６を端子挿入口１０，１１から抜くと、スライド板部１８の各シャッタ部１９は、復帰用ばね部１６の付勢力により矢印Ａとは反対方向へ移動されて図１の閉鎖位置に戻され、再び対応する端子挿入口１０，１１を閉鎖するようになる。
【００２０】
上記した実施例によれば、一対の端子挿入口１０，１１を開閉するためのシャッタ部材１５を備え、このシャッタ部材１５は、一対の端子挿入口１０，１１を開閉する一対のシャッタ部１９，１９と、これらシャッタ部１９，１９を閉鎖位置方向へ付勢する復帰用ばね部１６とを一体に有しているから、それらを一部品として扱うことができ、よって、部品点数を少なくできると共に、組立工数を少なくでき、ひいてはコストを低減できる。
【００２１】
また、カバー３における各端子挿入口１０，１１の縁部に、シャッタ部１９が閉鎖位置に位置した状態で、斜面２０の下降側先端部に近接若しくは当接する隙間閉鎖用凸部１３を設けていて、シャッタ部１９の斜面２０とカバー３との間の隙間が上記隙間閉鎖用凸部１３により閉鎖されるから、その隙間から異物が侵入することも防止できるようになる。
【００２２】
本発明は、上記した実施例にのみ限定されるものではなく、次のように変形または拡張できる。
上記した実施例では、一対の端子受け部７，８（一対の端子挿入口１０，１１）を２箇所に有する、いわゆる２口のコンセントを例示したが、１口のみのコンセントでも、また、３口以上有するコンセントでも適用できる。
【００２３】
【発明の効果】
本発明のコンセントによれば、一対の端子挿入口を開閉するためのシャッタ部材を備え、このシャッタ部材は、一対の端子挿入口を開閉する一対のシャッタ部と、これらシャッタ部を閉鎖位置方向へ付勢する復帰用ばね部とを一体に有する構成としたから、それらを一部品として扱うことができ、よって、部品点数を少なくできると共に、組立工数を少なくできるという効果を奏する。
【図面の簡単な説明】
【図１】本発明の一実施例を示すものであり、図３中Ｘ−Ｘ線に沿う縦断面図
【図２】プラグの差込み端子を挿入した状態での図１相当図
【図３】全体の外観斜視図
【図４】分解斜視図
【図５】カバーの内面側を示した斜視図
【符号の説明】
１はケース、２はボディ、３はカバー、７，８は端子受け部、１０，１１は端子挿入口、１３は隙間閉鎖用凸部、１５はシャッタ部材、１６は復帰用ばね、１８はスライド板部、１９はシャッタ部、２０は斜面、２５はプラグ、２６は差込み端子を示す。
【図１】
2004253312.tif 000003
【図２】
2004253312.tif 000004
【図３】
2004253312.tif 000005
【図４】
2004253312.tif 000006
【図５】
2004253312.tif 000007